(57)【要約】      （修正有）【課題】着座時にポケットから物品を容易に出入れ可能なズボンを提供する。【解決手段】ズボン本体１０と、ズボン本体の前身頃１１において、着用時において着用者の大腿部に沿って設けられるポケット１３と、を備え、ポケットは、開口部と、開口部から挿入される物体を収容する収容部と、を有し、開口部は大腿部の長さ方向において膝側に設けられ、収容部の底は、開口部よりも腰側に位置している、ズボン１。開口部は、前身頃１１において大腿部の周方向に沿って設けられていてもよい。【選択図】図１
2020193414.tif 000002
【特許請求の範囲】
【請求項１】
ズボン本体と、
前記ズボン本体の前身頃において、着用時において着用者の大腿部に沿って設けられるポケットと、
を備え、
前記ポケットは、開口部と、前記開口部から挿入される物体を収容する収容部と、を有し、
前記開口部は大腿部の長さ方向において膝側に設けられ、前記収容部の底は、前記開口部よりも腰側に位置している、
ズボン。
【請求項２】
前記開口部は、前記前身頃において前記大腿部の周方向に沿って設けられている、
請求項１記載のズボン。
【請求項３】
前記収容部は、前記開口部よりも腰側に伸び出るように、前記前身頃に固定されている、
請求項１又は２記載のズボン。
【請求項４】
前記開口部の開口端には、前記収容部に収容される物品の突出を規制する規制部が設けられている、
請求項１乃至３のいずれかに記載のズボン
【請求項５】
前記規制部は、第１端が前記開口部の膝側端辺に渡って連結され、第２端が前記開口部の大腿部側に向かって伸び出ている返しである、
請求項４記載のズボン。
【請求項６】
前記ズボン本体は、前身頃と後身頃とが互いに連結されて構成され、
前記前身頃は、着用時において、
前記着用者の大腿部に沿う前身頃上部と、
前記着用者の膝に沿う前身頃中部と、
前記着用者の脛部に沿う前身頃下部と、
を備え、
前記前身頃上部と前記前身頃下部とは、自然状態において、前記前身頃中部を介して屈曲して連結されている、
請求項１乃至５のいずれかに記載のズボン。
【発明の詳細な説明】
【技術分野】
【０００１】
本発明は、ズボンに関する。
【背景技術】
【０００２】
特許文献１には、前方大腿部に口がついており、口のところにファスナを取り付け内側にポケットを付けたズボンが開示されている。
【０００３】
特許文献２には、膝部から上側部に備えたポケット部が、ズボン側に縫着される外皮部材の４辺のうちの隣り合う２辺に、スライドファスナをそれぞれ有する物品出入れ用の第１及び第２の開口部をそれぞれ独立して備え、起立姿勢においては第１開口部からポケット部の物品が出入れ可能であり、座った姿勢においては第２開口部からポケット部の物品が出入れ可能になっているズボンが開示されている。
【０００４】
特許文献３には、ポケットを斜め方向に取り付けることで座った時にポケットの上部開口部が上になるようにし、さらにポケットを多重にする構成が開示されている。
【先行技術文献】
【特許文献】
【０００５】
【特許文献１】実開平６−７３１０９号公報
【特許文献２】特開２００９−６２６５７号公報
【特許文献３】実開昭４９−０９６１１７号公報
【発明の概要】
【発明が解決しようとする課題】
【０００６】
着用時の腸骨付近にポケットを備えるズボンがよく知られている。しかしながら、着座時には、このポケット付近の身頃が圧縮され、ポケットの収容部が屈曲するため、スマートホンなどの大きな物品を収容したり、物品の出入れをするのが困難である。特に、車椅子での生活時や、長時間のデスクワークを行う際には、腸骨付近のポケットを活用することができず、不便である。そこで、着座時にポケットから物品の出入れが容易なズボンが必要とされている。
【０００７】
特許文献１記載のズボンは、着座時の使用を想定しておらず、着座時には収容部が膝に沿って湾曲するため、出入れが困難である。特許文献２および３記載のズボンは、着座時に物品を出し入れする場合、ポケットの収容部が大腿部の周方向に沿って湾曲するため、収容できる物品の大きさに限りがある。
【０００８】
そこで、本発明は、着座時にポケットから物品を容易に出入れ可能なズボンを得ることを目的の１つとする。
【課題を解決するための手段】
【０００９】
上記目的を達成するため、本発明の一の観点に係るズボンは、ズボン本体と、前記ズボン本体の前身頃において、着用時において着用者の大腿部に沿って設けられるポケットと、を備え、前記ポケットは、開口部と、前記開口部から挿入される物体を収容する収容部と、を有し、前記開口部は大腿部の長さ方向において膝側に設けられ、前記収容部の底は、前記開口部よりも腰側に位置している。
【００１０】
前記開口部は、前記前身頃において前記大腿部の周方向に沿って設けられていてもよい。
【００１１】
前記収容部は、前記開口部よりも腰側に伸び出るように、前記前身頃に固定されていてもよい。
【００１２】
前記開口部の開口端には、前記収容部に収容される物品の突出を規制する規制部が設けられていてもよい。
【００１３】
前記規制部は、第１端が前記開口部の膝側端辺に渡って連結され、第２端が前記開口部の大腿部側に向かって伸び出ている返しであってもよい。
【００１４】
前記ズボン本体は、前身頃と後身頃とが互いに連結されて構成され、前記前身頃は、着用時において、前記着用者の大腿部に沿う前身頃上部と、前記着用者の膝に沿う前身頃中部と、前記着用者の脛部に沿う前身頃下部と、を備え、前記前身頃上部と前記前身頃下部とは、自然状態において、前記前身頃中部を介して屈曲して連結されていてもよい。
【発明の効果】
【００１５】
本発明によれば、着座時にポケットから物品を容易に出入れ可能である。
【図面の簡単な説明】
【００１６】
【図１】本発明にかかるズボンの実施の形態を示す概略斜視図である。
【図２】上記ズボンの（ａ）右側面図、（ｂ）左側面図である。
【図３】上記ズボンの概略正面図である。
【図４】図３のA-A端面図である。
【図５】上記ズボンの部分拡大正面図であって、（ａ）スライドファスナを閉じた状態の図、（ｂ）スライドファスナを開けた状態の図である。
【図６】上記ズボンの概略背面図である。
【図７】上記ズボンの（ａ）平面図、（ｂ）底面図である。
【発明を実施するための形態】
【００１７】
以下、本発明にかかるズボンの実施の形態について、図面を参照しながら説明する。
【００１８】
図１に示すように、ズボン１は、ズボン１の外形を構成するズボン本体１０と、ポケット１３と、により構成される。ズボン本体１０は、前身頃１１と、後身頃１２と、が互いに連結されて形成されている。前身頃１１は、着用時において着用者の下半身正面に沿う布地である。前身頃１１は、２個の帯状の布地を、長手方向の上端部において互いに連結したような形状をしている。後身頃１２は、着用者の背面に沿う布地であり、前身頃１１と同様、２個の帯状の布地を長手方向の上端部において互いに連結したような形状であるが、詳細な形状は前身頃１１とは異なっている。なお、図１乃至図４、ならびに図６及び図７は、ズボン１の各部位に張力の掛からない状態、すなわち自然状態のズボン１を示している。以降の説明において、着用者の背面側から正面側へ向かう方向を＋ｘ方向、着用者の左側面側から右側面側へ向かう方向を＋ｙ方向、＋ｘ方向および＋ｙ方向に直行する方向を＋ｚ方向とする。
【００１９】
図２（ａ）および（ｂ）に示すように、前身頃１１は、前身頃上部１１１、前身頃中部１１２および前身頃下部１１３がーｚ方向にこの順に連結されて構成されている。前身頃上部１１１は、着用時において大腿部に沿う略部分円筒形状であり、当該円筒の円筒軸は＋ｘ、−ｙ方向に伸びている。前身頃中部１１２は、着用者の膝部を覆う部分である。前身頃下部１１３は、脛部に沿う略部分円筒形状であり、当該円筒の円筒軸は−ｚ方向に沿って伸びている。すなわち、前身頃上部１１１と前身頃下部１１３は、前身頃中部１１２が凸となるように、前身頃中部１１２を介して屈曲して連結されている。
【００２０】
後身頃１２は、後身頃上部１２１、後身頃中部１２２および後身頃下部１２３がーｚ方向にこの順に連結されて構成されている。後身頃上部１２１は、着用時において大腿部背面側に沿う略部分円筒形状である。後身頃下部１２３は、着用者のふくらはぎに沿う着部分円筒形状である。後身頃上部１２１と後身頃下部１２３は、後身頃中部１２２が凹となるように、後身頃中部１２２を介して屈曲して連結されている。
【００２１】
すなわち、ズボン１は、自然状態において膝が屈曲した下肢に沿った形状である。本構成によれば、着座時、特に椅座位にズボン１に生じる張力が小さいため、快適に椅座位姿勢を維持することができる。特に、ズボン１が伸びにくい生地、例えばデニム生地で形成されたジーンズである場合にも、快適に椅座位姿勢を維持できる。また、座ったときにウエストラインが下がらず、膝を曲げても裾が上がらないため、着座後にズボン１の形状を整える必要がない。
【００２２】
側面視において、後身頃１２は、前身頃１１よりも大きく屈曲している。すなわち、後身頃上部１２１の円筒軸と後身頃下部１２３の円筒軸の成す角θ２は、前身頃上部１１１の円筒軸と前身頃下部１１３の円筒軸の成す角θ１よりも小さい。本構成によれば、腰部から膝部に向かって次第に小さくなる、椅座位における一般的な大腿部の形状に沿っているため、快適に椅座位姿勢を維持することができる。
【００２３】
図１に示すように、前身頃１１の腸骨上付近には、四半円と矩形をつなぎ合わせた形状の破線のステッチ１４、１５が左右それぞれに形成されている。ステッチ１４、１５は、それぞれ二重線になっている。ステッチ１４、１５は、従来のズボン、特にジーンズに設けられているポケットのデザインを模したものである。腸骨上にポケットが形成されていても、椅座位においては腰が屈曲して当該箇所が圧縮されるため、出入れが困難である。腸骨上にポケットがない構成によれば、腸骨上の生地を少ない枚数で構成できるため、柔軟に伸縮し、快適に椅座位姿勢を維持することができる。また、従来のデザインを模したステッチ１４、１５によれば、見た目の違和感なく自然に着用することができる。
【００２４】
図３および図４に示すように、前身頃上部１１１には、着用時において着用者の大腿部上面に沿うポケット１３が設けられている。
【００２５】
ポケット１３は、開口部１３１と、収容部１３２と、を備える。開口部１３１は、前身頃上部１１１において大腿部の周方向に沿って設けられているスリット状の開口である。より具体的には、開口部１３１は、膝側端辺１３１ａと腰側端辺１３１ｂが対向して形成されている。開口部１３１は、前身頃上部１１１の円筒軸に略直交している。また、開口部１３１は、前身頃上部１１１の長手方向中央より膝側に設けられている。
【００２６】
収容部１３２は、開口部１３１の開口端に連結され、開口部１３１から挿入される物品５０を収容する空間を画する部材である。本実施形態においては、開口部１３１の膝側端辺１３１ａおよび腰側端辺１３１ｂに袋状の収容部１３２が連結されていて、収容部１３２の内部が収容空間となっている。収容部１３２の外側は、略矩形のポケット外被１３４に覆われていてもよい。また、収容部１３２は、前身頃上部１１１とポケット外被１３４により構成されていてもよい。
【００２７】
なお、収容部１３２の形状は、略矩形に限られず、略円形又は略多角形など、適宜の形状であってよい。
【００２８】
収容部１３２は、着用時において、着用者の膝側から腰側に向かって設けられ、開口部１３１よりも腰側に底１３２ａを有する。すなわち、物品５０は、大腿部に沿って膝側から腰側に挿入される。大腿部は、椅座位においても長さ方向に略平坦であり、曲率も小さいため、スマートホンのような平板状の物品であっても、収容部１３２に滑らかに収容することができる。また、収容部１３２が腰側から膝側に向かって設けられているものとすると、物品が腰部又は腹部に接触するのを避けるため、出入れ時に不自然な姿勢となる場合がある。収容部１３２が膝側から腰側に向かって物品５０を挿入可能となっている構成によれば、開口部１３１前方が膝の上方に位置し、開放されているため、椅座位において物品を容易に出入れすることができる。
【００２９】
収容部１３２は、前記開口部よりも腰側に伸び出るように、前身頃上部１１１に固定されている。本実施形態においては、収容部１３２の底１３２ａが前身頃上部１１１およびポケット外被１３４と共に縫合されている。この構成によれば、収容部１３２の向きが膝側から腰側に向かう方向に規定され、物品５０を収容部１３２に滑らかに収容することができる。
【００３０】
なお、開口部１３１の開口端、すなわち膝側端辺１３１ａと腰側端辺１３１ｂには、収容部１３２に収容される物品５０の突出を規制する規制部を備えている。本実施形態においては、図４に示すように、ポケット１３の開口部１３１には、返し１３３が連結されている。返し１３３は、第１端が開口部１３１の膝側端辺１３１ａに渡って連結される、帯状の部材である。返し１３３の第２端は、開口部１３１の大腿部側に向かって伸び出ている。物品５０は、返し１３３と腰側端辺１３１ｂとの間から、収容部１３２に収容可能である。物品５０は、収容部１３２内において前身頃上部１１１と返し１３３との間に保持される。この構成によれば、物品５０がポケット１３から滑り出ることを防止することができる。
【００３１】
規制部は、返し１３３の構成に替えて、例えば、スライドファスナ、面ファスナ、または磁性体など、着用者が容易に着脱可能な構成であってもよい。
【００３２】
なお、ポケット１３は、本実施形態においては、右大腿部上に設けられていたが、左大腿部上に設けられていてもよいし、左右の大腿部上に設けられていてもよい。
【００３３】
また、ポケット１３は、大腿部上面にあるものとしたが、大腿部の外側面に設けられていてもよい。また、大腿部上面および大腿部の外側面の両方に設けられていてもよい。
【００３４】
図１および図５（ａ）、（ｂ）に示すように、前身頃１１の上端略中央には、ボタン２１およびボタンホール２２が形成されている。ボタン２１の下方にはｚ方向に伸びる前立て２３と、スライドファスナ２４が設けられている。スライドファスナ２４は、前身頃１１の股部分端部まで連結されている。この構成によれば、前立て２３が大きく開放されるので、立位が困難な着用者に対して介助者が着脱する場合であっても、着脱が容易である。
【００３５】
図１および図６に示すように、ズボン本体１０の上端開口周辺には、全周に渡って複数のベルトループ３１乃至３５が設けられている。ベルトループ３１乃至３５は、ｚ方向上端および下端がズボン本体１０に連結されて、ループを形成している帯状の部材である。背面側のベルトループ３３乃至３５の帯幅、すなわち周方向の幅は、正面側のベルトループ３１および３２の周方向の幅よりも大きい。介助者がズボン１の着用を介助する際や、着用者の身体を支える際に、背面側のベルトループ３３乃至３５を把持して引き上げる場合がある。本構成によれば、ベルトループ３３乃至３５が把持しやすく、強度も大きいため、介助しやすい。また、正面側のベルトループ３１乃至３３の帯幅は、一般的なズボンと同幅である。この構成によれば、正面からの見た目の違和感を抑えることができる。
【００３６】
このように、本発明にかかるズボンによれば、着座時にポケットから物品を容易に出入れ可能である。
【００３７】
１          ズボン
１０      ズボン本体
１１      前身頃
１３      ポケット
１３1    開口部
１３２    収容部
１３２ａ  底
【図１】
2020193414.tif 000003
【図２】
2020193414.tif 000004
【図３】
2020193414.tif 000005
【図４】
2020193414.tif 000006
【図５】
2020193414.tif 000007
【図６】
2020193414.tif 000008
【図７】
2020193414.tif 000009